(57)【要約】【課題】使用者がロータ室内を水洗いすることができる遠心分離機を提供すること。【解決手段】遠心分離すべき試料を保持するロータが回転する部屋であるロータ室２と、前記ロータを駆動するための駆動装置５と、前記ロータを取り付けて前記ロータと一体回転する駆動軸６を備える遠心分離機１において、前記駆動軸６と前記ロータ室２との隙間を密閉するためのカバー９を前記ロータ室２内に着脱可能に取り付ける。ここで、前記カバー９は、駆動軸６の一部又は全部を覆い、且つ、その下端開口部周縁が前記ロータ室２の底面に密着するもの、駆動軸６とロータ室２との隙間に嵌合して該隙間を密閉するものである。【選択図】図１
2007075711.tif 000002
【特許請求の範囲】
【請求項１】
ロータ室と、ロータを駆動するための駆動装置と、前記ロータを取り付けて該ロータと一体回転する駆動軸を備える遠心分離機において、
前記駆動軸と前記ロータ室との隙間を密閉するためのカバーを前記ロータ室内に着脱可能に取り付けたことを特徴とする遠心分離機。
【請求項２】
前記カバーは、駆動軸の一部又は全部を覆い、且つ、その下端開口部周縁が前記ロータ室の底面に密着するものであることを特徴とする請求項１記載の遠心分離機。
【請求項３】
前記カバーは、駆動軸と前記ロータ室との隙間に嵌合して該隙間を密閉するものであることを特徴とする請求項１記載の遠心分離機。
【発明の詳細な説明】
【技術分野】
【０００１】
本発明は、駆動軸にロータを取り付けて試料を遠心分離するための遠心分離機に関するものである。
【背景技術】
【０００２】
図５に従来の遠心分離機の構成を示す。
【０００３】
図５に示す従来の遠心分離機１は、液体試料を保持して遠心分離するロータ３と、該ロータ３が回転駆動される部屋であるロータ室２と、該ロータ室２の開口部に開閉自在に設けられたドア４と、ロータ３を回転駆動する駆動源としての駆動装置５と、ロータ３を載せて一体回転する駆動軸６と、駆動装置５を制御する制御装置７と、ロータ室２内の液体を当該遠心分離機１の外に排出するための排水路８等によって構成されている。
【０００４】
以上の構成を有する遠心分離機１においては、ロータ室２内に付着した水滴等の液体は、排水路８から当該遠心分離機１の外へ排出していた（特許文献１参照）。
【特許文献１】実開平６−０３４７４６号公報
【発明の開示】
【発明が解決しようとする課題】
【０００５】
上記従来の遠心分離機１においては、使用者が液体試料をロータ室２内にこぼしたり、遠心分離時に液体試料が飛散してロータ室２が汚れることがあり、ロータ室２内を清掃する際に水洗いしたいという要望がある。
【０００６】
しかしながら、従来の遠心分離機１の構成ではロータ３と一体回転する駆動軸６とロータ室２の間に隙間があるため、その隙間から水滴や液体が駆動装置５や制御装置７に浸入すると、これらの駆動装置５や制御装置７に故障や動作不良が発生する可能性がある。そのためロータ室２内の清掃は水洗いすることができず、ロータ室２内の水滴や液体を布等で拭き取る必要があるため、清掃作業が非効率であるという問題があった。
【０００７】
本発明は上記問題に鑑みてなさたもので、その目的とする処は、使用者がロータ室内を水洗いすることができる遠心分離機を提供することにある。
【課題を解決するための手段】
【０００８】
上記目的を達成するため、請求項１記載の発明は、ロータ室と、ロータを駆動するための駆動装置と、前記ロータを取り付けて該ロータと一体回転する駆動軸を備える遠心分離機において、前記駆動軸と前記ロータ室との隙間を密閉するためのカバーを前記ロータ室内に着脱可能に取り付けたことを特徴とする。
【０００９】
請求項２記載の発明は、請求項１記載の発明において、前記カバーは、駆動軸の一部又は全部を覆い、且つ、その下端開口部周縁が前記ロータ室の底面に密着するものであることを特徴とする。
【００１０】
請求項３記載の発明は、請求項１記載の発明において、前記カバーは、駆動軸と前記ロータ室との隙間に嵌合して該隙間を密閉するものであることを特徴とする。
【発明の効果】
【００１１】
本発明によれば、遠心分離終了後に使用者がロータ室内の清掃を行う場合には、カバーをロータ室内に取り付けて駆動軸とロータ室の隙間をカバーで密閉し、その状態でロータ室内を水洗いすれば、ロータ室内を汚している液体を水によって洗い流すことができるため、従来のようにロータ室内の水滴や液体を布等で拭き取る必要がなく、ロータ室内を水洗いによって効率良く且つ確実に清掃することができる。又、駆動軸とロータ室の隙間から水滴や液体が駆動装置や制御装置に浸入することがないため、これらの駆動装置や制御装置に故障や動作不良が発生することがない。
【発明を実施するための最良の形態】
【００１２】
以下に本発明の実施の形態を添付図面に基づいて説明する。
【００１３】
図１は本発明に係る遠心分離機１の縦断面図であり、図示の遠心分離機１は、液体試料を保持してこれを遠心分離するロータが回転される部屋であるロータ室２と、該ロータ室２の開口部に開閉自在に設けられたドア４と、ロータを回転駆動する駆動源としての駆動装置５と、ロータを載せて一体回転する駆動軸６と、駆動装置５を制御する制御装置７と、ロータ室２内の液体を当該遠心分離機１の外に排出するための排水路８等によって構成されている。
【００１４】
そして、本発明に係る遠心分離機１においては、ロータ室２内には、非運転時に駆動軸６を覆って駆動軸６とロータ室２との隙間を密閉するためのカバー９が着脱可能に取り付けられる。
【００１５】
又、ロータ内には、液体試料を収容したチューブ等が収容されており、駆動装置５によってロータをロータ室内で所定速度で回転駆動すれば、該ロータ内に収容された液体試料が遠心分離される。
【００１６】
ところで、遠心分離機１の運転中に液体試料がロータ室２内に飛散したり、運転前に使用者が液体試料をロータ室２内にこぼしたりしたためにロータ室２内が汚れる場合があるが、このような場合にはロータ室２内を清掃する必要があり、この清掃は次のようになされる。
【００１７】
即ち、遠心分離終了後に使用者がロータ室２内の清掃を行う場合には、図２に示すように、カバー９を駆動軸６を覆うように被せ、該カバー９をその下端開口部周縁がロータ室２の底面に設けられている引っ掛け部２ａに密着するように取り付ける。すると、駆動軸６とロータ室２の間の隙間がカバー９によって確実に覆われる。
【００１８】
上記状態において、使用者はロータ室２内を水洗いすることができ、ロータ室２内を汚している液体を水によって洗い流すことができ、清掃に使用された水は液体と共に排水路８から遠心分離機１の外に排出される。
【００１９】
従って、ロータ室２内の水滴や液体を布等で拭き取る必要がなく、ロータ室２内を水洗いによって効率良く且つ確実に清掃することができるとともに、駆動軸６とロータ室２の間の隙間から水滴や液体が駆動装置５や制御装置７に浸入することがないため、これらの駆動装置５や制御装置７に故障や動作不良が発生することがない。尚、洗浄後に液体試料を遠心分離する場合には、ロータ室２内に設置されたカバー９を取り外し、ロータ室２内に露出する駆動軸６の上端に不図示のロータを取り付ける。
【００２０】
ところで、図１に示す遠心分離機１と同じ構成で排水路８が無い遠心分離機においては、遠心分離終了後のロータ室２内の清掃時に、駆動軸６を覆うカバー９で駆動軸６とロータ室２との隙間を密閉してロータ室２内を水洗いし、ロータ室２内に溜まった水を排水ポンプや布等で吸い取る。従って、この場合も駆動装置５や制御装置７への水滴や液体の浸入を防ぎつつ、ロータ室２内を効率良く水洗いすることができる。
【００２１】
又、図３に示すように、カバー９ａは、駆動軸６の全てを覆う構造である必要はなく、駆動軸６とロータ室２に密着するように構成され、ロータ室２と駆動軸６との隙間を密閉することができるものであれば良い。
【００２２】
更に、図４に示すように、カバー９ｂの内部は空洞である必要はなく、駆動軸６とロータ室２に密着するように構成され、ロータ室２と駆動軸６との隙間に嵌合してこれを密閉することができるものであれば良い。尚、カバー９ｂの一部には切込み部が設けられており、該カバー９ｂを駆動軸６に取り付けた後、このカバー９ｂの突起部をロータ室２の開口部に押し込む。
【００２３】
ところで、以上説明したカバー９，９ａ，９ｂは、ゴム等の弾性体で構成されている。
【図面の簡単な説明】
【００２４】
【図１】本発明に係る遠心分離機の縦断面図である。
【図２】本発明に係る遠心分離機の駆動軸を覆うカバーを示す断面図である。
【図３】本発明に係る遠心分離機に使用されるカバーの別形態を示すである。
【図４】本発明に係る遠心分離機に使用されるカバーの別形態を示すである。
【図５】従来の遠心分離機の縦断面図である。
【符号の説明】
【００２５】
１    遠心分離機
２    ロータ室
２ａ  引っ掛け部
３    ロータ
４    ドア
５    駆動装置
６    駆動軸
７    制御装置
８    排水路
９，９ａ，９ｂ  カバー
【図１】
2007075711.tif 000003
【図２】
2007075711.tif 000004
【図３】
2007075711.tif 000005
【図４】
2007075711.tif 000006
【図５】
2007075711.tif 000007